(57)【要約】【課題】  吸収器入口溶液温度を低下させ、吸収器の圧力を下げ、低い蒸発温度を可能ならしめることによって、発生器における溶液濃度を低くし、飽和溶液温度を低下させことが可能となり、装置を大型化させるとなく、発生器の加熱源の温度を低くできるようにする。【解決手段】  間接空冷(溶液分離冷却)方式の吸収式冷凍装置において、蒸発器Ｅ内に、別途溶液Ｌを冷却するための熱交換器４を設けるとともに、過冷却用空冷熱交換器１を出た溶液Ｌを更に冷却するために前記熱交換器４内に流入させて凝縮器Ｃからの液冷媒Ｒｗと熱交換させることにより前記溶液Ｌの温度を下げるように構成して、過冷却用空冷熱交換器１を出た溶液Ｌは、熱交換器４に流入して凝縮器Ｃからの液冷媒Ｒｗと熱交換することにより、更に冷却され、その状態で吸収器Ａに入るようにしている。【選択図】        図１
2010185594.tif 000002
【特許請求の範囲】
【請求項１】
発生器（Ｇ）、凝縮器（Ｃ）、蒸発器（Ｅ）および吸収器（Ａ）を備え、前記吸収器（Ａ）に入る吸収溶液（Ｌ）を過冷却する過冷却用空冷熱交換器（１）を付設し、前記蒸発器（Ｅ）と一体の駆体（Ｘ）内に収められた吸収器（Ａ）内では、前記蒸発器（Ｅ）で蒸発させた冷媒蒸気（Ｒｓ）を単に吸収させるだけで、吸収熱は過冷却された溶液（Ｌ）の顕熱で取り去る間接空冷方式の吸収式冷凍装置であって、前記蒸発器（Ｅ）内には、別途前記溶液（Ｌ）を冷却するための熱交換器（４）を設けるとともに、前記過冷却用空冷熱交換器（１）を出た溶液（Ｌ）を更に冷却するために前記熱交換器（４）内に流入させて前記凝縮器（Ｃ）からの液冷媒（Ｒｗ）と熱交換させることにより前記溶液（Ｌ）の温度を下げるように構成したことを特徴とする吸収式冷凍装置。
【請求項２】
前記熱交換器（４）を、前記蒸発器（Ｅ）とは別個に設けるとともに、前記凝縮器（Ｃ）からの液冷媒（Ｒｗ）が前記蒸発器（Ｅ）とは別個に前記熱交換器（４）の伝熱面を流下するように構成したことを特徴とする請求項１記載の吸収式冷凍装置。
【請求項３】
前記熱交換器（４）を、前記蒸発器（Ｅ）と直列に設置するとともに、前記凝縮器（Ｃ）からの液冷媒（Ｒｗ）が前記蒸発器（Ｅ）の伝熱面を流下後に前記熱交換器（４）の伝熱面を流下するように構成したことを特徴とする請求項１記載の吸収式冷凍装置。
【請求項４】
前記蒸発器（Ｅ）の下部には、未蒸発液冷媒を溜める冷媒溜まり（７）を設けるとともに、該冷媒溜まり（７）内には、前記熱交換器（４）を設置したことを特徴とする請求項１記載の吸収式冷凍装置。
【請求項５】
前記過冷却用空冷熱交換器（１）と前記吸収器（Ａ）の入口とを直接接続する溶液配管（５）を付設するととも、該溶液配管（５）には、前記過冷却用空冷熱交換器（１）の出口における溶液温度が所定値にまで低下している時に開作動される開閉弁（６）を介設したことを特徴とする請求項１、２、３および４のいずれか一項記載の吸収式冷凍装置。
【請求項６】
前記蒸発器（Ｅ）は、液冷媒（Ｒｗ）がその伝熱面を一過性で流下し、未蒸発冷媒は、前記吸収器（Ａ）へ移動した後、吸収溶液（Ｌ）に吸収されるように構成したことを特徴とする請求項１、２、３、４および５のいずれか一項記載の吸収式冷凍装置。
【請求項７】
前記発生器（Ｇ）の熱源として排熱を用いることを特徴とする請求項１、２、３、４、５および６のいずれか一項記載の吸収式冷凍装置。
【請求項８】
前記排熱として太陽熱を用いることを特徴とする請求項７記載の吸収式冷凍装置。
【発明の詳細な説明】
【技術分野】
【０００１】
本願発明は、吸収式冷凍装置に関し、さらに詳しくは間接空冷（溶液分離冷却）方式の吸収式冷凍装置であって加熱源の温度を低くできるようにした吸収式冷凍装置に関するものである。
【背景技術】
【０００２】
間接空冷（溶液分離冷却）方式の吸収式冷凍装置においては、図８に示すように、希溶液Ｌｄを発生器Ｇで加熱濃縮させることにより得られる冷媒蒸気Ｒｓを凝縮器Ｃで冷却液化し、液化した液冷媒Ｒｗを蒸発器Ｅの伝熱面に散布させることで内部の被冷却流体Ｗを冷却し、蒸発した冷媒蒸気Ｒｓを吸収器Ａにて空冷過冷却器１で過冷却された溶液Ｌ（吸収器Ａから出た希溶液と発生器Ｇより送られる濃溶液Ｌｃとの混合した溶液）で吸収させた後、濃度の低下した溶液（即ち、希溶液Ｌｄ）を発生器Ｇに送ることで、吸収サイクルを形成することとなっている。符号Ｐｌは吸収器Ａからの希溶液Ｌｄを発生器Ｇへ圧送する溶液ポンプ、Ｈａは発生器Ｇから送られる濃溶液Ｌｃと発生器Ｇへ送られる希溶液Ｌｄとを熱交換させる溶液熱交換器、２は凝縮器Ｃを冷却する冷却ファン、３は空冷過冷却器１を冷却する冷却ファンである。従って、発生器Ｇで希溶液Ｌｄを加熱するための熱源の温度は、発生器Ｇにおける溶液Ｌｃの濃度とその飽和溶液温度とにより決定されることとなる。つまり、飽和溶液温度は、凝縮器Ｃでの凝縮圧力における飽和溶液温度となるので、発生器Ｇでの加熱源温度を低くするには、凝縮温度(凝縮圧)を下げるか、もしくは溶液濃度を低くし、溶液の飽和溶液温度を低下させることでもある。
【０００３】
しかしながら、ガスエンジン等の冷却水を利用した排温水吸収式の単効用冷凍機においては、図７に示すように、排温水の温度を９０℃とし定格時の空冷吸収式の冷媒の凝縮温度を４０℃とすれば、加熱される発生器Ｇの飽和溶液温度としては８５℃程度となり、発生器Ｇの溶液濃度は高い濃度で６０％程度となる（図７のサイクル（Ａ）参照）。発生器Ｇの溶液を加熱するための熱源温度をより低くできれば、加熱用の温水として太陽熱等が利用可能となり、排熱吸収式の利用範囲を大きく拡大することができるが、凝縮温度を低下させるか、もしくは溶液濃度を低くして飽和溶液温度を低くするかである。凝縮温度(圧力)を低下させるには、冷却用の空気温度を低下させる必要があり、吸収式冷凍機の定格運転時の凝縮温度は空冷式の場合は、外気温度により４０℃以下とすることは、凝縮器を大きくしても非常にむずかしく、実用的でない。
【０００４】
また、発生器Ｇの溶液濃度を薄くして飽和溶液温度を低下させるにしても、発生器Ｇの溶液濃度は、蒸発器Ｅにおける蒸発温度とも関係する濃度であるために、低い冷水温度を得るためには、吸収器Ａの入口の濃溶液Ｌｃの濃度が必然的に決まる。例えば、図７のサイクル（Ａ）で示すように、溶液濃度が６０％時における吸収器Ａの入口の溶液温度を４０℃とすれば蒸発温度は５℃となるが、低い加熱源温度における発生器Ｇの低い溶液濃度では、図７のサイクル（Ｂ）で示すように、同じ吸収器Ａの入口溶液温度でも蒸発温度が上昇し、定格運転時の蒸発器Ｅでの冷水温度を所定通り低くできないことになり、単に発生器Ｇでの溶液濃度を低くし、加熱源温度を低下させることでは所定の低い冷水温度を得ることが困難である。
【０００５】
なお、発生器の加熱源の温度を低くする手段としては、この場合、吸収式冷凍装置において、蒸発器と吸収器とを組み合わせたユニットを二つ用意し、一方のユニットを構成する吸収器の出口からの希溶液を一方のユニットを構成する蒸発器の熱交換部、他方のユニットを構成する吸収器の熱交換部を経て一方のユニットを構成する吸収器の上部に還流させる還流回路を付設して、発生器の加熱源の温度を低くできるようにしている（特許文献１参照）。しかしながら、この場合、蒸発器と吸収器とを組み合わせたユニットを二つ用意する必要があり、装置全体の大型化が避けられないというデメリットがある。
【先行技術文献】
【特許文献】
【０００６】
【特許文献１】特開２００７−２７１１６５
【発明の概要】
【発明が解決しようとする課題】
【０００７】
本願発明は、上記の点に鑑みてなされたもので、発生器における低い加熱源温度での低い溶液濃度では、蒸発温度が上昇し、冷水温度を所定通り低くできないことより、吸収器入口溶液温度をより低くすることで、吸収器の圧力が低下し蒸発温度をより低くすることが可能となる。従って間接空冷（溶液分離冷却）方式では、蒸発器に溶液温度を低下させるための熱交換器を別途設け、凝縮器からの液冷媒を前記熱交換器の伝熱面に流下させることで、熱交換器の内部を流れる空冷過冷却器出口の溶液と熱交換し、過冷却器出口の溶液温度を更に低下させて吸収器に流入させるようにしている。このことにより、吸収器入口溶液温度が低下し、吸収器の圧力が下がり、低い蒸発温度が可能となる。その結果、発生器における溶液濃度を低くし、飽和溶液温度を低下させことが可能となり、装置を大型化させるとなく、発生器の加熱源の温度を低くできるようにすることを目的としている。
【課題を解決するための手段】
【０００８】
本願発明では、上記課題を解決するための第１の手段として、発生器Ｇ、凝縮器Ｃ、蒸発器Ｅおよび吸収器Ａを備え、前記吸収器Ａに入る吸収溶液Ｌを過冷却する過冷却用空冷熱交換器１を付設し、前記蒸発器Ｅと一体の駆体Ｘ内に収められた吸収器Ａ内では、前記蒸発器Ｅで蒸発させた冷媒蒸気Ｒｓを単に吸収させるだけで、吸収熱は過冷却された溶液Ｌの顕熱で取り去る間接空冷(溶液分離冷却)方式の吸収式冷凍装置において、前記蒸発器Ｅ内に、別途前記溶液Ｌを冷却するための熱交換器４を設けるとともに、前記過冷却用空冷熱交換器１を出た溶液Ｌを更に冷却するために前記熱交換器４内に流入させて前記凝縮器Ｃからの液冷媒Ｒｗと熱交換させることにより前記溶液Ｌの温度を下げるように構成している。
【０００９】
上記のように構成したことにより、過冷却用空冷熱交換器１を出た溶液Ｌは、熱交換器４に流入して凝縮器Ｃからの液冷媒Ｒｗと熱交換することにより、更に冷却され、その状態で吸収器Ａに入ることとなる。このことにより、吸収器Ａの入口溶液温度が低下し、吸収器Ａの圧力が下がり、低い蒸発温度が可能となる。その結果、発生器Ｇにおける溶液濃度を低くし、飽和溶液温度を低下させことが可能となり、装置を大型化させるとなく、発生器Ｇの加熱源の温度を低くできる。
【００１０】
本願発明では、さらに、上記課題を解決するための第２の手段として、上記第１の手段を備えた吸収式冷凍装置において、前記熱交換器４を、前記蒸発器Ｅとは別個に設けるとともに、前記凝縮器Ｃからの液冷媒Ｒｗが前記蒸発器Ｅとは別個に前記熱交換器４の伝熱面を流下するように構成することもでき、そのように構成した場合、過冷却用空冷熱交換器１を出た溶液Ｌは、蒸発器Ｅとは別個に設けられた熱交換器４において凝縮器Ｃからの液冷媒Ｒｗによって更に冷却され、その状態で吸収器Ａに入ることとなり、溶液Ｌの更なる冷却が可能となる。
【００１１】
本願発明では、さらに、上記課題を解決するための第３の手段として、上記第１の手段を備えた吸収式冷凍装置において、前記熱交換器４を、前記蒸発器Ｅと直列に設置するとともに、前記凝縮器Ｃからの液冷媒Ｒｗが前記蒸発器Ｅの伝熱面を流下後に前記熱交換器４の伝熱面を流下するように構成することもでき、そのように構成した場合、過冷却用空冷熱交換器１を出た溶液Ｌは、蒸発器Ｅと直列に設置された熱交換器４において該熱交換器４の伝熱面を流下する液冷媒Ｒｗによって更に冷却され、その状態で吸収器Ａに入ることとなり、溶液Ｌの更なる冷却が可能となる。
【００１２】
本願発明では、さらに、上記課題を解決するための第４の手段として、上記第１の手段を備えた吸収式冷凍装置において、前記蒸発器Ｅの下部に、未蒸発液冷媒を溜める冷媒溜まり７を設けるとともに、該冷媒溜まり７内に、前記熱交換器４を設置することもでき、そのように構成した場合、過冷却用空冷熱交換器１を出た溶液Ｌは、未蒸発冷媒を溜める冷媒溜まり７内に設置された熱交換器４において未蒸発冷媒によって更に冷却され、その状態で吸収器Ａに入ることとなり、溶液Ｌの更なる冷却が可能となる。
【００１３】
本願発明では、さらに、上記課題を解決するための第５の手段として、上記第１、第２、第３又は第４の手段を備えた吸収式冷凍装置において、前記過冷却用空冷熱交換器１と前記吸収器Ａの入口とを直接接続する溶液配管５を付設するととも、該溶液配管５に、前記過冷却用空冷熱交換器１の出口における溶液温度が所定値にまで低下している時に開作動される開閉弁６を介設することもでき、そのように構成した場合、過冷却用空冷熱交換器１の出口における溶液温度が所定値にまで低下している時には、開閉弁６の開作動により、溶液Ｌが熱交換器４側ではなく、溶液配管５を介して吸収器Ａに直接流入せしめられることとなり、被冷却流体Ｗへの熱負荷を抑えることができる。
【００１４】
本願発明では、さらに、上記課題を解決するための第６の手段として、上記第１、第２、第３、第４又は第５の手段を備えた吸収式冷凍装置において、前記蒸発器Ｅを、液冷媒Ｒｗがその伝熱面を一過性で流下し、未蒸発冷媒が、前記吸収器Ａへ移動した後、吸収溶液Ｌに吸収されるように構成することもでき、そのように構成した場合、凝縮器Ｃからの液冷媒は、蒸発器Ｅの伝熱面を流下するが、未蒸発冷媒は、吸収器Ａへ移動した後、吸収溶液Ｌに吸収されることとなり、蒸発器Ｅと吸収器Ａとの構造が簡略化できる。
【００１５】
本願発明では、さらに、上記課題を解決するための第７の手段として、上記第１、第２、第３、第４、第５又は第６の手段を備えた吸収式冷凍装置において、前記発生器Ｇの熱源として排熱を用いることもでき、そのように構成した場合、やや低温の排熱温水を有効に利用できる。
【００１６】
本願発明では、さらに、上記課題を解決するための第８の手段として、上記第７の手段を備えた吸収式冷凍装置において、前記排熱として太陽熱を用いることもでき、そのように構成した場合、吸収式冷凍装置の利用範囲を大幅に拡大することができる。
【発明の効果】
【００１７】
本願発明の第１の手段によれば、発生器Ｇ、凝縮器Ｃ、蒸発器Ｅおよび吸収器Ａを備え、前記吸収器Ａに入る吸収溶液Ｌを過冷却する過冷却用空冷熱交換器１を付設し、前記蒸発器Ｅと一体の駆体Ｘ内に収められた吸収器Ａ内では、前記蒸発器Ｅで蒸発させた冷媒蒸気Ｒｓを単に吸収させるだけで、吸収熱は過冷却された溶液Ｌの顕熱で取り去る間接空冷(溶液分離冷却)方式の吸収式冷凍装置において、前記蒸発器Ｅ内に、別途前記溶液Ｌを冷却するための熱交換器４を設けるとともに、前記過冷却用空冷熱交換器１を出た溶液Ｌを更に冷却するために前記熱交換器４内に流入させて前記凝縮器Ｃからの液冷媒Ｒｗと熱交換させることにより前記溶液Ｌの温度を下げるように構成して、過冷却用空冷熱交換器１を出た溶液Ｌが、熱交換器４に流入して凝縮器Ｃからの液冷媒Ｒｗと熱交換することにより、更に冷却され、その状態で吸収器Ａに入るようにしたので、吸収器Ａの入口溶液温度が低下し、吸収器Ａの圧力が下がり、低い蒸発温度が可能となって、発生器Ｇにおける溶液濃度を低くし、飽和溶液温度を低下させことが可能となり、装置を大型化させるとなく、発生器Ｇの加熱源の温度を低くできるという効果がある。
【００１８】
本願発明の第２の手段におけるように、上記第１の手段を備えた吸収式冷凍装置において、前記熱交換器４を、前記蒸発器Ｅとは別個に設けるとともに、前記凝縮器Ｃからの液冷媒Ｒｗが前記蒸発器Ｅとは別個に前記熱交換器４の伝熱面を流下するように構成することもでき、そのように構成した場合、過冷却用空冷熱交換器１を出た溶液Ｌは、蒸発器Ｅとは別個に設けられた熱交換器４において凝縮器Ｃからの液冷媒Ｒｗによって更に冷却され、その状態で吸収器Ａに入ることとなり、溶液Ｌの更なる冷却が可能となる。
【００１９】
本願発明の第３の手段におけるように、上記第１の手段を備えた吸収式冷凍装置において、前記熱交換器４を、前記蒸発器Ｅと直列に設置するとともに、前記凝縮器Ｃからの液冷媒Ｒｗが前記蒸発器Ｅの伝熱面を流下後に前記熱交換器４の伝熱面を流下するように構成することもでき、そのように構成した場合、過冷却用空冷熱交換器１を出た溶液Ｌは、蒸発器Ｅと直列に設置された熱交換器４において該熱交換器４の伝熱面を流下する液冷媒Ｒｗによって更に冷却され、その状態で吸収器Ａに入ることとなり、溶液Ｌの更なる冷却が可能となる。
【００２０】
本願発明の第４の手段におけるように、上記第１の手段を備えた吸収式冷凍装置において、前記蒸発器Ｅの下部に、未蒸発液冷媒を溜める冷媒溜まり７を設けるとともに、該冷媒溜まり７内に、前記熱交換器４を設置することもでき、そのように構成した場合、過冷却用空冷熱交換器１を出た溶液Ｌは、未蒸発冷媒を溜める冷媒溜まり７内に設置された熱交換器４において未蒸発冷媒によって更に冷却され、その状態で吸収器Ａに入ることとなり、溶液Ｌの更なる冷却が可能となる。
【００２１】
本願発明の第５の手段におけるように、上記第１、第２、第３又は第４の手段を備えた吸収式冷凍装置において、前記過冷却用空冷熱交換器１と前記吸収器Ａの入口とを直接接続する溶液配管５を付設するととも、該溶液配管５に、前記過冷却用空冷熱交換器１の出口における溶液温度が所定値にまで低下している時に開作動される開閉弁６を介設することもでき、そのように構成した場合、過冷却用空冷熱交換器１の出口における溶液温度が所定値にまで低下している時には、開閉弁６の開作動により、溶液Ｌが熱交換器４側ではなく、溶液配管５を介して吸収器Ａに直接流入せしめられることとなり、被冷却流体Ｗへの熱負荷を抑えることができる。
【００２２】
本願発明の第６の手段におけるように、上記第１、第２、第３、第４又は第５の手段を備えた吸収式冷凍装置において、前記蒸発器Ｅを、液冷媒Ｒｗがその伝熱面を一過性で流下し、未蒸発冷媒が、前記吸収器Ａへ移動した後、吸収溶液Ｌに吸収されるように構成することもでき、そのように構成した場合、凝縮器Ｃからの液冷媒は、蒸発器Ｅの伝熱面を流下するが、未蒸発冷媒は、吸収器Ａへ移動した後、吸収溶液Ｌに吸収されることとなり、蒸発器Ｅと吸収器Ａとの構造が簡略化できる。
【００２３】
本願発明の第７の手段におけるように、上記第１、第２、第３、第４、第５又は第６の手段を備えた吸収式冷凍装置において、前記発生器Ｇの熱源として排熱を用いることもでき、そのように構成した場合、やや低温の排熱温水を有効に利用できる。
【００２４】
本願発明の第８の手段におけるように、上記第７の手段を備えた吸収式冷凍装置において、前記排熱として太陽熱を用いることもでき、そのように構成した場合、吸収式冷凍装置の利用範囲を大幅に拡大することができる。
【図面の簡単な説明】
【００２５】
【図１】本願発明の第１の実施の形態にかかる吸収式冷凍装置における吸収冷凍サイクルである。
【図２】本願発明の第２の実施の形態にかかる吸収式冷凍装置における吸収冷凍サイクルである。
【図３】本願発明の第３の実施の形態にかかる吸収式冷凍装置における吸収冷凍サイクルである。
【図４】本願発明の第４の実施の形態にかかる吸収式冷凍装置における吸収冷凍サイクルである。
【図５】本願発明の第５の実施の形態にかかる吸収式冷凍装置における吸収冷凍サイクルである。
【図６】本願発明の第６の実施の形態にかかる吸収式冷凍装置における吸収冷凍サイクルである。
【図７】従来の吸収式冷凍装置および本願発明の各実施の形態にかかる吸収式冷凍装置における溶液サイクル線図である。
【図８】冷媒一過性方式の蒸発器を備えた従来の間接空冷（溶液分離冷却）方式の吸収式冷凍装置の吸収冷凍サイクルである。
【発明を実施するための形態】
【００２６】
以下、添付の図面を参照して、本願発明の幾つかの好適な実施の形態について説明する。
【００２７】
第１の実施の形態
図１には、本願発明の第１の実施の形態にかかる吸収式冷凍装置における吸収冷凍サイクルが示されている。
【００２８】
この吸収冷凍サイクルは、冷媒（例えば、水）を吸収する能力に優れた吸収剤（例えば、ＬｉＢｒ）の水溶液（以下、単に吸収溶液という）の冷媒吸収能力を回復させるために該溶液を加熱媒体（例えば、排温水）で加熱して濃縮するための発生器Ｇと、該発生器Ｇにおいて溶液から分離した蒸気（冷媒）Ｒｓを導入してこれを冷却することによって液化させる空冷式の凝縮器Ｃと、該凝縮器Ｃによって液化された冷媒Ｒｗを導入して低圧下で蒸発（気化）させる蒸発器Ｅと、該蒸発器Ｅで発生した蒸気（冷媒）Ｒｓを吸収するために前記発生器Ｇで濃縮された濃溶液Ｌｃを散布する吸収器Ａと、該吸収器Ａで蒸気（冷媒）Ｒｓを吸収したことによって希釈された溶液（希溶液）Ｌｄを濃縮するために再び発生器Ｇへ送り込むための溶液ポンプＰｌと、前記吸収器Ａに入る吸収溶液Ｌを過冷却する過冷却用空冷熱交換器１とを備えて構成されている。符号２は凝縮器Ｃに付設された冷却ファン、３は過冷却用空冷熱交換器１に付設された冷却ファン、Ｈａは吸収器Ａから出た希溶液Ｌｄの一部（発生器Ｇへ供給される希溶液Ｌｄ）と発生器Ｇから出た濃溶液Ｌｃとを熱交換する溶液熱交換器である。この吸収冷凍サイクルにおいては、凝縮器Ｃからの液冷媒Ｒｗが蒸発器Ｅの上部から伝熱面に散布される冷媒一過性方式の蒸発器Ｅが用いられている。そして、前記蒸発器Ｅと一体の駆体Ｘ内に収められた吸収器Ａ内では、前記蒸発器Ｅで蒸発させた冷媒蒸気Ｒｓを単に吸収させるだけで、吸収熱は過冷却された溶液Ｌの顕熱で取り去る間接空冷(溶液分離冷却)方式の吸収式冷凍装置とされている。
【００２９】
前記蒸発器Ｅにおいては、凝縮器Ｃから供給された凝縮水（液冷媒）Ｒｗが内部を流れる水（被冷却流体Ｗ）と熱交換して蒸発気化するとともに、利用側の熱源として冷水が得られる一方、前記吸収器Ａにおいては、過冷却用空冷熱交換器１で過冷却された吸収溶液Ｌに蒸発器Ｅから得られた蒸気（冷媒）Ｒｓが吸収されることにより、溶液濃度が希釈され、吸収器Ａを出た希釈溶液と発生器Ｇからの濃縮溶液とを混合し、過冷却用空冷熱交換器１と発生器Ｇとに送られることとなっている。
【００３０】
そして、本実施の形態においては、前記蒸発器Ｅ内には、別途前記溶液Ｌを冷却するための熱交換器４が設けられており、前記過冷却用空冷熱交換器１を出た溶液Ｌを更に冷却するために前記熱交換器４内に流入させて前記凝縮器Ｃからの液冷媒Ｒｗと熱交換させることにより前記溶液Ｌの温度を下げるように構成されている。前記熱交換器４は、前記蒸発器Ｅとは別個に設けられており、前記凝縮器Ｃからの液冷媒Ｒｗが前記蒸発器Ｅとは別個に前記熱交換器４の伝熱面を流下するように構成されている。
【００３１】
上記のように構成したことにより、過冷却用空冷熱交換器１を出た溶液Ｌは、熱交換器４に流入して凝縮器Ｃからの液冷媒Ｒｗと熱交換することにより、更に冷却され、その状態で吸収器Ａに入ることとなる。このことにより、吸収器Ａの入口溶液温度が低下し、吸収器Ａの圧力が下がり、低い蒸発温度が可能となる。その結果、発生器Ｇにおける溶液濃度を低くし、飽和溶液温度を低下させことが可能となり、装置を大型化させるとなく、発生器Ｇの加熱源の温度を低くできる。しかも、凝縮器Ｃからの液冷媒Ｒｗが蒸発器Ｅとは別個に熱交換器４の伝熱面を流下するように構成しているので、過冷却用空冷熱交換器１を出た溶液Ｌは、蒸発器Ｅとは別個に設けられた熱交換器４において凝縮器Ｃからの液冷媒Ｒｗによって更に冷却され、その状態で吸収器Ａに入ることとなり、溶液Ｌの更なる冷却が可能となる。つまり、従来の吸収式冷凍装置（図８図示）における発生器Ｇの加熱源温度は、図７のサイクル（Ａ）に示すように、冷水を得るために蒸発器Ｅの蒸発温度を５℃とすれば、９０℃程度が必要であったが、本実施の形態の場合、図７のサイクル（Ｂ）、（Ｃ）に示すように、溶液濃度を低く（薄く）することで、加熱源温度を８０℃程度とすることが可能となり、発生器Ｇの加熱源として、排熱温水（例えば、太陽熱による温水）を利用することができるのである。
【００３２】
しかしながら、図７のサイクル（Ａ）における蒸発温度は、吸収器入口の飽和蒸気温度より、５℃であるが、図７のサイクル（Ｂ）では、溶液濃度が５６％時、吸収器Ａの入口温度が同じ場合には、蒸発温度は１０℃まで高くなってしまう。
【００３３】
そこで、本実施の形態においては、図７のサイクル（Ｃ）に示すように、サイクル（Ｂ）の吸収器入口温度を低くすることで、蒸発温度をサイクル（Ａ）と同等にすることができるようにしているのである。
【００３４】
第２の実施の形態
図２には、本願発明の第２の実施の形態にかかる吸収式冷凍装置における吸収冷凍サイクルが示されている。
【００３５】
この場合、熱交換器４は、蒸発器Ｅと直列に設置されており、凝縮器Ｃからの液冷媒Ｒｗが蒸発器Ｅの伝熱面を流下後に熱交換器４の伝熱面を流下するように構成されている。このようにすると、過冷却用空冷熱交換器１を出た溶液Ｌは、蒸発器Ｅと直列に設置された熱交換器４において該熱交換器４の伝熱面を流下する液冷媒Ｒｗによって更に冷却され、その状態で吸収器Ａに入ることとなり、溶液Ｌの更なる冷却が可能となる。その他の構成および作用効果は、第１の実施の形態におけると同様なので説明を省略する。
【００３６】
第３の実施の形態
図３には、本願発明の第３の実施の形態にかかる吸収式冷凍装置における吸収冷凍サイクルが示されている。
【００３７】
この場合、第１の実施の形態において、過冷却用空冷熱交換器１と吸収器Ａの入口とを直接接続する溶液配管１４を付設するととも、該溶液配管１４には、前記過冷却用空冷熱交換器１の出口における溶液温度が所定値にまで低下している時に開作動される開閉弁１３が介設されている。このようにすると、過冷却用空冷熱交換器１の出口における溶液温度が所定値にまで低下している時には、開閉弁１３の開作動により、溶液Ｌが熱交換器４側ではなく、溶液配管１４を介して吸収器Ａに直接流入せしめられることとなり、被冷却流体Ｗへの熱負荷を抑えることができる。その他の構成および作用効果は、第１の実施の形態におけると同様なので説明を省略する。
【００３８】
第４の実施の形態
図４には、本願発明の第４の実施の形態にかかる吸収式冷凍装置における吸収冷凍サイクルが示されている。
【００３９】
この場合、第２の実施の形態において、過冷却用空冷熱交換器１と吸収器Ａの入口とを直接接続する溶液配管１４を付設するととも、該溶液配管１４には、前記過冷却用空冷熱交換器１の出口における溶液温度が所定値にまで低下している時に開作動される開閉弁１３が介設されている。このようにすると、過冷却用空冷熱交換器１の出口における溶液温度が所定値にまで低下している時には、開閉弁１３の開作動により、溶液Ｌが熱交換器４側ではなく、溶液配管１４を介して吸収器Ａに直接流入せしめられることとなり、被冷却流体Ｗへの熱負荷を抑えることができる。その他の構成および作用効果は、第２の実施の形態におけると同様なので説明を省略する。
【００４０】
第５の実施の形態
図５には、本願発明の第５の実施の形態にかかる吸収式冷凍装置における吸収冷凍サイクルが示されている。
【００４１】
この場合、蒸発器Ｅの下部には、未蒸発液冷媒を溜める冷媒溜まり７を設けられており、該冷媒溜まり７内には、熱交換器４が設置されている。このようにすると、過冷却用空冷熱交換器１を出た溶液Ｌは、未蒸発冷媒を溜める冷媒溜まり７内に設置された熱交換器４において未蒸発冷媒によって更に冷却され、その状態で吸収器Ａに入ることとなり、溶液Ｌの更なる冷却が可能となる。その他の構成および作用効果は、第１の実施の形態におけると同様なので説明を省略する。
【００４２】
第６の実施の形態
図６には、本願発明の第６の実施の形態にかかる吸収式冷凍装置における吸収冷凍サイクルが示されている。
【００４３】
この場合、第５の実施の形態において、過冷却用空冷熱交換器１と吸収器Ａの入口とを直接接続する溶液配管１４を付設するととも、該溶液配管１４には、前記過冷却用空冷熱交換器１の出口における溶液温度が所定値にまで低下している時に開作動される開閉弁１３が介設されている。このようにすると、過冷却用空冷熱交換器１の出口における溶液温度が所定値にまで低下している時には、開閉弁１３の開作動により、溶液Ｌが熱交換器４側ではなく、溶液配管１４を介して吸収器Ａに直接流入せしめられることとなり、被冷却流体Ｗへの熱負荷を抑えることができる。その他の構成および作用効果は、第５の実施の形態におけると同様なので説明を省略する。
【００４４】
本願発明は、上記各実施の形態に限定されるものではなく、発明の要旨を逸脱しない範囲において適宜設計変更可能なことは勿論である。
【符号の説明】
【００４５】
１は過冷却用空冷熱交換器
４は熱交換器
５は溶液配管
６は開閉弁
７は冷媒溜まり
Ａは吸収器
Ｃは凝縮器
Ｅは蒸発器
Ｇは発生器
Ｌは溶液（吸収溶液）
Ｌｃは濃溶液
Ｌｄは希溶液
Ｐｌは溶液ポンプ
Ｒｓは冷媒蒸気
Ｒｗは液冷媒
【図１】
2010185594.tif 000003
【図２】
2010185594.tif 000004
【図３】
2010185594.tif 000005
【図４】
2010185594.tif 000006
【図５】
2010185594.tif 000007
【図６】
2010185594.tif 000008
【図７】
2010185594.tif 000009
【図８】
2010185594.tif 000010